(57)【特許請求の範囲】
【請求項１】
可撓性を有する金属箔がプレス成形された箱であり、内部に加熱燃料を収容でき、且つバーベキューグリルの金属板で構成された火床内に配置される火床カバーであって、
底板と、
前記底板の端に立設された側壁と、
前記側壁の上端に設けられ、外側に延びており且つ前記火床の側壁上に載置されるフランジとを有している火床カバー。
【請求項２】
請求項１記載の火床カバーにおいて、
前記火床カバーの前記側壁の少なくとも一部は、前記火床の側壁に対して間隙を有して対向配置される火床カバー。
【請求項３】
請求項１記載の火床カバーにおいて、
前記底板には、上方に凸の凸部が設けられており、当該底板の前記凸部以外の部分が前記火床の底板に当接可能である火床カバー。
【請求項４】
金属板で構成された火床と、
前記火床内に配置された請求項１〜３の何れかに記載の火床カバーとを備えているバーベキューグリル。
【発明の詳細な説明】
【技術分野】
【０００１】
本発明は、バーベキューグリルの火床内に配置可能な火床カバーおよびこれを備えたバーベキューグリルに関する。
【背景技術】
【０００２】
この種のバーベキューグリルとしては下記特許文献１に記載されたものがある。このバーベキューグリルは使い捨て可能な火床を備えている。この火床は、段ボール製の箱と、この箱の内面に取り付けられたアルミ箔のシートとを有している。
【先行技術文献】
【特許文献】
【０００３】
【特許文献１】実用新案登録第３０１５２７５号公報
【発明の概要】
【発明が解決しようとする課題】
【０００４】
上記火床は、段ボール製の箱の内面にアルミ箔のシートが取り付けられただけであることから、当該火床内の炭や薪等の加熱燃料により加熱されると、シートが剥がれる可能性がある。シートが剥がれると、加熱燃料の加熱から箱を保護することができない。
【０００５】
本発明は、上記事情に鑑みて創案されたものであって、その目的とするところは、加熱燃料の加熱により火床が熱劣化するのを抑制することができる火床カバーおよびこれを備えたバーベキューグリルを提供することにある。
【課題を解決するための手段】
【０００６】
上記課題を解決するために、本発明の火床カバーは、可撓性を有する金属箔がプレス成形された箱であり、内部に加熱燃料を収容でき、バーベキューグリルの金属板で構成された火床内に配置されるものである。この火床カバーは、底板と、前記底板の端に立設された側壁と、前記側壁の上端に設けられ、外側に延びており且つ前記火床の側壁上に載置されるフランジとを有している。このような態様の火床カバーによる場合、火床内に収容された火床カバー内に加熱燃料が挿入され、加熱される。しかし、当該火床カバーが加熱燃料の加熱から火床を保護するので、加熱燃料の加熱により火床が熱劣化するのを抑制することができる。しかも、火床カバーによって、煤や食材（肉）の油が火床の内面に付着するのを防止することができる。また、フランジが火床の側壁上に載置されることによって、火床カバーが火床内に収容された状態が安定する。
【０００７】
前記火床カバーの前記側壁の少なくとも一部は、前記火床の側壁に対して間隙を有して対向配置可能な構成とすることが可能である。このような態様の火床カバーは、火床内に収容されると、火床カバーの側壁の少なくとも一部と火床の側壁との間に間隙が生じる。この間隙が空気断熱として機能するので、火床カバー内の加熱燃料による加熱によって、火床の側壁が熱劣化するのをさらに抑制することができる。
【０００８】
前記火床カバーの前記側壁の前記一部には、当該一部を貫通した通気孔が設けられた構成とすることが可能である。前記通気孔は、前記火床の前記側壁に設けられた通気孔に前記間隙を介して連通可能な構成とすることが可能である。このような態様の火床カバーによる場合、火床カバーの通気孔が、火床の通気孔に対応する位置に設けられていなかったとしても、火床の通気孔と、この火床内に収容された火床カバーの通気孔とが間隙によって通じる。よって、火床の通気孔、間隙および火床カバーの通気孔から外気を火床カバー内に取り込むことが可能になる。
【０００９】
前記底板は矩形状とすることが可能である。当該底板は、第１方向の第１端と、前記第
１端の反対側の第２端と、前記第１方向に交差する第２方向の第３端と、前記第３端の反対側の第４端とを有する構成とすることが可能である。前記火床カバーの前記側壁は、前記底板の前記第１端に立設された第１側壁と、前記底板の前記第２端に立設された第２側壁と、前記底板の前記第３端に立設された第３側壁と、前記底板の前記第４端に立設された第４側壁とを有する構成とすることが可能である。
【００１０】
前記第１、第２側壁は、当該第１、第２側壁間の距離が漸次離れるように斜め上方に延びた構成とすることが可能である。
【００１１】
前記第３、第４側壁は、当該第３、第４側壁間の距離が漸次離れるように斜め上方に延びた構成とすることが可能である。第１、第２、第３および第４側壁が上述のとおり斜め上方に延びている場合、複数の当該火床カバーを上下に重ねることができる。
【００１２】
前記第３、第４側壁が前記火床の側壁の当該第３、第４側壁に対向する対向部に各々当接可能な構成とすることが可能である。このような態様の火床カバーが火床内に収容されると、第３、第４側壁が火床の対向部に当接し、支持されるので、火床カバーが火床内で安定して保持される。
【００１３】
前記第１〜第４側壁の少なくとも一つに、複数の凸部又は複数の凹部が設けられた構成とすることが可能である。このような態様の火床カバーによる場合、凸部又は凹部によって、第１〜第４側壁の少なくとも一つの表面積が増大する。よって、火床カバーの放熱効果が向上する。
【００１４】
前記フランジは、前記第１〜第４側壁の少なくとも一つの上端に設けられ、外側に延びており且つ前記火床の側壁上に載置可能な構成とすることが可能である。
【００１５】
前記底板は円板とすることが可能である。当該底板は、リング状の端を有する構成とすることが可能である。前記火床カバーの前記側壁は、前記底板の前記端に立設された円筒とすることが可能である。
【００１６】
前記火床カバーの前記側壁は、当該側壁の外径および内径が上方に漸次拡径するように斜め上方に延びた構成とすることが可能である。このような態様の火床カバーによる場合、複数の当該火床カバーを上下に重ねることができる。
【００１７】
前記火床カバーの前記側壁に、複数の凸部又は複数の凹部が設けられた構成とすることが可能である。このような態様の火床カバーによる場合、凸部又は凹部によって、側壁の表面積が増大する。よって、火床カバーの放熱効果が向上する。
【００１８】
上記火床カバーは、フランジをさらに備えた構成とすることが可能である。前記フランジは、前記側壁の上端の少なくとも一部に設けられ、外側に延びており且つ前記火床の側壁上に載置可能な構成とすることが可能である。このような態様の火床カバーによる場合、フランジが火床の側壁上に載置されることによって、火床カバーが火床内に収容された状態が安定する。
【００１９】
前記底板には、凸部が設けられた構成とすることが可能である。このような態様の火床カバーによる場合、凸部によって、火床カバーの底板の火床の底板に対する接触面積を低減することができる。よって、火床カバー内の加熱燃料の加熱によって、火床の底板が熱
劣化するのを抑制することができる。
【００２０】
本発明のバーベキューグリルは、火床と、上述した何れかの態様の火床カバーとを備えている。前記火床カバーは、前記火床内に収容されている。
【図面の簡単な説明】
【００２１】
【図１Ａ】本発明の実施例１に係る火床カバーの正面、平面および右側面を表した斜視図である。
【図１Ｂ】前記火床カバーの正面図である。
【図１Ｃ】前記火床カバーの平面図である。
【図１Ｄ】前記火床カバーの底面図である。
【図１Ｅ】前記火床カバーの右側面図である。
【図２Ａ】本発明の実施例１に係るバーベキューグリルの正面図であって、火床と前記火床カバーとの配置関係が表された図である。
【図２Ｂ】前記バーベキューグリルの右側面図であって、前記火床と前記火床カバーとの配置関係が表された図である。
【図３Ａ】本発明の実施例２に係る火床カバーの正面、平面および右側面を表した斜視図である。
【図３Ｂ】前記火床カバーの正面図である。
【図３Ｃ】前記火床カバーの平面図である。
【図３Ｄ】前記火床カバーの底面図である。
【図３Ｅ】前記火床カバーの右側面図である。
【図４Ａ】本発明の実施例２に係るバーベキューグリルの正面図であって、火床と前記火床カバーとの配置関係が表された図である。
【図４Ｂ】前記バーベキューグリルの右側面図であって、前記火床と前記火床カバーとの配置関係が表された図である。
【図５Ａ】本発明の実施例３に係る火床カバーの概略的正面図である。
【図５Ｂ】前記火床カバーの概略的平面図である。
【図５Ｃ】前記火床カバーの概略的右側面図である。
【図６Ａ】本発明の実施例３に係るバーベキューグリルの正面図であって、火床と前記火床カバーとの配置関係が表された図である。
【図６Ｂ】前記バーベキューグリルの底面図であって、前記火床と前記火床カバーとの配置関係が表された図である。
【図６Ｃ】前記バーベキューグリルの右側面図であって、前記火床と前記火床カバーとの配置関係が表された図である。
【発明を実施するための形態】
【００２２】
以下、本発明の実施例１〜３について説明する。
【実施例１】
【００２３】
まず、本発明の実施例１に係る火床カバー１００について図１Ａ〜図１Ｅを参照しつつ説明する。火床カバー１００は、火床２００（図２Ａ〜図２Ｂ参照）内に収容可能な箱であって、可撓性を有する金属箔（例えば、アルミ箔）で構成されている。火床カバー１００は、底板１１０と、第１側壁１２０と、第２側壁１３０と、第３側壁１４０と、第４側壁１５０と、フランジ１６０とを有している。以下、火床カバー１００の各構成要素について詳しく説明する。図１Ａおよび図１Ｃに示すＹが、火床カバー１００の長さ方向且つ特許請求の範囲の第１方向を示している。図１Ａおよび図１Ｃに示すＸが、火床カバー１００の幅方向且つ特許請求の範囲の第２方向を示している。Ｘ方向は、Ｙ方向に直交している。
【００２４】
底板１１０は、金属箔（例えば、アルミ箔）で構成された矩形状の板である。底板１１０のＹ方向の寸法は、火床２００の後述する底板２１０（図２Ｂ参照）のＹ方向の寸法よりも小さい。底板１１０のＸ方向の寸法は、火床２００の底板２１０のＸ方向の寸法よりも若干小さい。底板１１０は、凸部１１１と、第１端１１２と、第２端１１３と、第３端１１４と、第４端１１５とを有している。
【００２５】
凸部１１１は、底板１１０に設けられた上方に凸の突脈である。底板１１０の凸部１１１以外の部分が、火床２００の底板２１０に当接可能である。
【００２６】
第１端１１２は、底板１１０のＹ方向の一方側の端である。第２端１１３は、底板１１０のＹ方向の他方側（第１端１１２の反対側）の端である。第３端１１４は、底板１１０のＸ方向の一方側の端である。第４端１１５は、底板１１０のＸ方向の他方側（第３端１１４の反対側）の端である。
【００２７】
第１側壁１２０は、底板１１０の第１端１１２に立設された金属箔（例えば、アルミ箔）製の台形状の板である。第２側壁１３０は、底板１１０の第２端１１３に立設された金属箔（例えば、アルミ箔）製の台形状の板である。第１側壁１２０と第２側壁１３０とは、当該第１、第２側壁１２０、１３０間の距離が漸次離れるように斜め上方に延びている。換言すると、第１側壁１２０は、Ｙ方向の一方側（火床カバー１００の外側）に傾斜しており、第２側壁１３０は、Ｙ方向の他方側（火床カバー１００の外側）に傾斜している。第１、第２側壁１２０、１３０の高さ寸法は、火床２００の後述する第１、第２側壁２２０、２３０（図２Ａ参照）の高さ寸法よりも若干（フランジ１６０の厚み分）大きい。第１、第２側壁１２０、１３０（特許請求の範囲の火床カバーの側壁の少なくとも一部）は、火床２００の第１、第２側壁２２０、２３０に対して間隙Ｇ（図２Ａ参照）を有して対向配置可能である。第１側壁１２０の下端部には、当該第１側壁１２０を貫通した複数の通気孔１２１がＸ方向に間隔をあけて設けられている。第２側壁１３０の下端部には、当該第２側壁１３０を貫通した複数の通気孔１３１がＸ方向に間隔をあけて設けられている。通気孔１２１、１３１は、間隙Ｇを介して火床２００の後述する通気孔（図２Ｂ参照）に連通可能（通気可能）である。
【００２８】
第３側壁１４０は、底板１１０の第３端１１４に立設された金属箔（例えば、アルミ箔）製の台形状の板である。第３側壁１４０は、第１、第２側壁１２０、１３０のＸ方向の一端間を連結している。第４側壁１５０は、底板１１０の第４端１１５に立設された金属箔（例えば、アルミ箔）製の台形状の板である。第４側壁１５０は、第１、第２側壁１２０、１３０のＸ方向の他端間を連結している。第３側壁１４０と第４側壁１５０とは、当該第３、第４側壁１４０、１５０間の距離が漸次離れるように斜め上方に延びている。換言すると、第３側壁１４０は、Ｘ方向の一方側（火床カバー１００の外側）に傾斜しており、第４側壁１５０は、Ｘ方向の他方側（火床カバー１００の外側）に傾斜している。第３、第４側壁１４０、１５０の高さ寸法は、火床２００の後述する第３、第４側壁２４０、２５０（図２Ｂ参照）の高さ寸法よりも若干（フランジ１６０の厚み分）大きい。第３、第４側壁１４０、１５０の傾斜角は、火床２００の第３、第４側壁２４０、２５０の傾斜角と略同じである。第３、第４側壁１４０、１５０が、第３、第４側壁２４０、２５０（対向部）に当接可能となっている。第３側壁１４０には、凸部１４１がＹ方向に間隔をあけて設けられている。凸部１４１は、火床カバー１００の内側に凸であり且つ第３側壁１４０の傾斜方向に延びている。第４側壁１５０には、凸部１５１がＹ方向に間隔をあけて設けられている。凸部１５１は、火床カバー１００の内側に凸であり且つ第４側壁１５０の傾斜方向に延びている。なお、第１〜第４側壁１２０〜１５０が特許請求の範囲の側壁に相当している。
【００２９】
フランジ１６０は、第１側壁１２０、第２側壁１３０、第３側壁１４０および第４側壁
１５０の上端に設けられ且つ外側に延びた金属箔（例えば、アルミ箔）製の角枠状の板である。このフランジ１６０のＹ方向の両端には、火床２００の図示しないネジ孔に各々対応する箇所に、一対の切欠き部１６１が各々設けられている。
【００３０】
以上のような構成の火床カバー１００は、可撓性を有する金属箔（例えば、厚さ０.０
３５〜０.０６ｍｍのアルミ箔）を図示しない金型を用いてプレス成形することによって
製造される。
【００３１】
以下、本発明の実施例１に係るバーベキューグリルについて図２Ａ〜図２Ｂを参照しつつ説明する。図２Ａ〜図２Ｂに示すバーベキューグリルは、火床カバー１００と、火床２００を備えている。以下、このバーベキューグリルについて詳しく説明する。
【００３２】
火床２００は、火床カバー１００を収容可能な金属製（例えば、ステンレスやスチール製）の箱である。火床２００は、底板２１０と、第１側壁２２０と、第２側壁２３０と、第３側壁２４０と、第４側壁２５０と、フランジ２６０とを有している。
【００３３】
底板２１０は、金属製（例えば、ステンレスやスチール製）の矩形状の板である。底板２１０は、第１端２１１と、第２端２１２と、第３端２１３と、第４端２１４とを有している。第１端２１１は、底板２１０のＹ方向の一方側の端である。第２端２１２は、底板２１０のＹ方向の他方側（第１端２１１の反対側）の端である。第３端２１３は、底板２１０のＸ方向の一方側の端である。第４端２１４は、底板２１０のＸ方向の他方側（第３端２１３の反対側）の端である。
【００３４】
第１側壁２２０は、底板２１０の第１端２１１に立設された金属製（例えば、ステンレスやスチール製）の台形状の板であって、底板２１０に対して垂直に延びている。第２側壁２３０は、底板２１０の第２端２１２に立設された金属製（例えば、ステンレスやスチール製）の台形状の板であって、底板２１０に対して垂直に延びている。第１側壁２２０の下端部には、当該第１側壁２２０を貫通した通気孔２７０が設けられている。第２側壁２３０の下端部には、当該第２側壁２３０を貫通した図示しない通気孔が設けられている。
【００３５】
第３側壁２４０は、底板２１０の第３端２１３に立設された金属製（例えば、ステンレスやスチール製）の矩形状の板である。第３側壁２４０は、第１、第２側壁２２０、２３０のＸ方向の一端間を連結している。第４側壁２５０は、底板２１０の第４端２１４に立設された金属製（例えば、ステンレスやスチール製）の矩形状の板である。第４側壁２５０は、第１、第２側壁２２０、２３０のＸ方向の他端間を連結している。第３側壁２４０と第４側壁２５０とは、当該第３、第４側壁２４０、２５０間の距離が漸次離れるように斜め上方に延びている。換言すると、第３側壁２４０は、Ｘ方向の一方側（火床２００の外側）に傾斜しており、第４側壁２５０は、Ｘ方向の他方側（火床２００の外側）に傾斜している。
【００３６】
フランジ２６０は、第１側壁２２０、第２側壁２３０、第３側壁２４０および第４側壁２５０の上端に設けられ且つ外側に延びた金属製（例えば、ステンレスやスチール製）の角枠状の板である。このフランジ２６０のＹ方向の両端には、一対のネジ孔が各々設けられている。
【００３７】
上述した火床２００は、図示しない脚が取り付け可能である。よって、火床２００は、脚によって中空支持された状態で使用可能である。又は、火床２００は、テーブル等の上に直接設置された状態でも使用可能である。
【００３８】
以下、火床カバー１００を火床２００に取り付ける手順について説明する。まず、火床カバー１００を火床２００に収容させる。すると、火床カバー１００の底板１１０の凸部１１１以外の部分が火床２００の底板２１０に当接する。火床カバー１００の第３、第４側壁１４０、１５０が、火床２００の第３、第４側壁２４０、２５０に当接する。火床カバー１００のフランジ１６０が、火床２００のフランジ２６０上に載置される。このようにして火床カバー１００が火床２００に支持される。これと共に、火床カバー１００の第１、第２側壁１２０、１３０が、火床２００の第１、第２側壁２２０、２３０に間隙Ｇを有して対向配置される。これにより、第１側壁１２０の通気孔１２１、間隙Ｇおよび第１側壁２２０の通気孔２７０が通じる。第２側壁１３０の通気孔１３１、間隙Ｇおよび第２側壁２３０の通気孔が通じる。
【００３９】
この火床カバー１００内に炭や薪等の加熱燃料を入れ、当該加熱燃料を加熱させる。火床カバー１００および火床２００上には、図示しない網又は鉄板を載置する。この網又は鉄板上に食材を載せて当該食材を焼くことができる。
【００４０】
以上のような火床カバー１００およびバーベキューグリルは、以下の技術的特徴を有する。第１に、加熱燃料の加熱により、火床２００が熱劣化するのを抑制することができる。その理由は以下の通りである。火床２００は、金属箔で構成された火床カバー１００によって加熱燃料の加熱から保護される。第１、第２側壁１２０、１３０と第１、第２側壁２２０、２３０との位置関係が、火床カバー１００が火床２００内に収容されたとき、第１、第２側壁１２０、１３０と第１、第２側壁２２０、２３０の間に間隙Ｇが生じる位置関係となっている。この間隙Ｇが空気断熱として機能するので、第１、第２側壁２２０、２３０に対する加熱燃料の加熱の影響を低減することができる。火床カバー１００の底板１１０の凸部１１１以外の部分が火床２００の底板２１０に当接しているので、底板２１０に対する加熱燃料の加熱の影響を低減することができる。
【００４１】
第２に、火床２００の汚れを防止することができる。なぜなら、加熱燃料は火床カバー１００内に入れられ、食材からの油等が火床カバー１００内に落下するので、煤や油等が火床２００に付着するのを防止することができるからである。
【００４２】
第３に、火床カバー１００の汎用性を向上させることができる。なぜなら、火床の通気孔が、火床カバー１００の通気孔１２１、１３１に対応する位置に設けられていなかったとしても、当該火床内に火床カバー１００が収容されたとき、第１、第２側壁１２０、１３０と前記火床の第１、第２側壁の間に間隙が生じる。この間隙によって、第１、第２側壁１２０、１３０の通気孔１２１、１３１と前記火床の前記第１、第２側壁の前記通気孔とが通じる。
【００４３】
第４に、火床カバー１００は処分が容易である。火床カバー１００は可撓性を有する金属箔で構成されているので、丸めて捨てることができるからである。
【００４４】
第５に、火床カバー１００は、火床２００に安定的に支持される。なぜなら、火床カバー１００の第３、第４側壁１４０、１５０の傾斜角は、火床２００の第３、第４側壁２４０、２５０の傾斜角と略同じであり、第３、第４側壁１４０、１５０が第３、第４側壁２４０、２５０に当接するからである。加えて、火床カバー１００のフランジ１６０が、火床２００のフランジ２６０に支持されるからである。
【００４５】
第６に、火床カバー１００の放熱効果が向上する。なぜなら、第３、第４側壁１４０、１５０には、複数の凸部１４１、１５１がＹ方向に間隔をあけて設けられているので、第３、第４側壁１４０、１５０の表面積を増大させることができるからである。
【００４６】
第７に、複数の火床カバー１００を上下に重ねる（スタッキングする）ことができる。火床カバー１００は、第１、第２側壁１２０、１３０が互いに離れるように斜め上方に延びており、第３、第４側壁１４０、１５０が互いに離れるように斜め上方に延びているからである。
【実施例２】
【００４７】
次に、本発明の実施例２に係る火床カバー１００’について図３Ａ〜図３Ｅを参照しつつ説明する。火床カバー１００’は、火床２００’（図４Ａ〜図４Ｂ参照）内に収容可能な箱であって、可撓性を有する金属箔（例えば、アルミ箔）で構成されている。火床カバー１００’は、第１側壁１２０’、第２側壁１３０’、第３側壁１４０’および第４側壁１５０’の形状が、実施例１の第１側壁１２０、第２側壁１３０、第３側壁１４０および第４側壁１５０の形状と相違する以外、火床カバー１００と同じ構成である。以下、その相違点についてのみ詳しく説明し、重複する説明は省略する。なお、実施例２の火床カバー、第１側壁、第２側壁、第３側壁および第４側壁は、その符号に’を付して実施例１の火床カバー、第１側壁、第２側壁、第３側壁および第４側壁と区別する。図３Ａおよび図３Ｃにも、Ｙ方向およびＸ方向が示されている。
【００４８】
第１側壁１２０’は、底板１１０の第１端１１２に立設された金属箔（例えば、アルミ箔）製の矩形状の板であって、底板１１０に対して垂直に延びている。第２側壁１３０’は、底板１１０の第２端１１３に立設された金属箔（例えば、アルミ箔）製の矩形状の板であって、底板１１０に対して垂直に延びている。第１、第２側壁１２０’、１３０’の高さ寸法は、火床２００’の後述する第１、第２側壁２２０’、２３０’（図４Ａ参照）の高さ寸法よりも若干（フランジ１６０の厚み分）大きい。第１、第２側壁１２０’、１３０’は、火床２００’の第１、第２側壁２２０’、２３０’に当接可能である。第１側壁１２０’の下端部には、当該第１側壁１２０’を貫通した複数の通気孔１２１’がＸ方向に間隔をあけて設けられている。第２側壁１３０’の下端部には、当該第２側壁１３０’を貫通した複数の通気孔１３１’がＸ方向に間隔をあけて設けられている。通気孔１２１’、１３１’は、火床２００’の後述する通気孔（図４Ｂ参照）に連通可能（通気可能）である。
【００４９】
第３側壁１４０’は、底板１１０の第３端１１４に立設された金属箔（例えば、アルミ箔）製の矩形状の板であって、底板１１０に対して垂直に延びている。第３側壁１４０’は、第１、第２側壁１２０’、１３０’のＸ方向の一端間を連結している。第４側壁１５０’は、底板１１０の第４端１１５に立設された金属箔（例えば、アルミ箔）製の矩形状の板であって、底板１１０に対して垂直に延びている。第４側壁１５０’は、第１、第２側壁１２０’、１３０’のＸ方向の他端間を連結している。第３、第４側壁１４０’、１５０’の高さ寸法は、火床２００’の後述する第３、第４側壁２４０’、２５０’（図４Ｂ参照）の高さ寸法よりも若干（フランジ１６０の厚み分）大きい。第３、第４側壁１４０’、１５０’が、火床２００’の第３、第４側壁２４０’、２５０’に当接可能となっている。第３側壁１４０’は、凸部１４１’がＹ方向に間隔をあけて設けられている。凸部１４１’は、火床カバー１００’の内側に凸であり且つ垂直に延びている。第４側壁１５０’は、凸部１５１’がＹ方向に間隔をあけて設けられている。凸部１５１’は、火床カバー１００’の内側に凸であり且つ垂直に延びている。なお、第１〜第４側壁１２０’〜１５０’が特許請求の範囲の側壁に相当している。
【００５０】
以上のような構成の火床カバー１００’も、可撓性を有する金属箔（例えば、厚さ０.
０３５〜０.０６ｍｍのアルミ箔）を図示しない金型を用いてプレス成形することによっ
て製造される。
【００５１】
以下、本発明の実施例２に係るバーベキューグリルについて図４Ａ〜図４Ｂを参照しつ
つ説明する。図４Ａ〜図４Ｂに示すバーベキューグリルは、火床カバー１００’と、火床２００’を備えている。以下、このバーベキューグリルについて詳しく説明する。
【００５２】
火床２００’は、第１、第２、第３、第４側壁２２０’、２３０’、２４０’、２５０’の形状が、実施例１の第１、第２、第３、第４側壁２２０、２３０、２４０、２５０の形状と相違する以外、実施例１の火床２００と略同じ構成である。以下、その相違点についてのみ詳しく説明し、重複する説明は省略する。なお、実施例２の火床、第１側壁、第２側壁、第３側壁および第４側壁は、その符号に’を付して実施例１の火床、第１側壁、第２側壁、第３側壁および第４側壁と区別する。
【００５３】
第１側壁２２０’は、底板２１０の第１端２１１に立設された金属製（例えば、ステンレスやスチール製）の矩形状の板であって、底板２１０に対して垂直に延びている。第２側壁２３０’は、底板２１０の第２端２１２に立設された金属製（例えば、ステンレスやスチール製）の矩形状の板であって、底板２１０に対して垂直に延びている。第１側壁２２０’の下端部には、当該第１側壁２２０’を貫通した通気孔２７０’が設けられている。第２側壁２３０’の下端部には、当該第２側壁２３０’を貫通した図示しない通気孔が設けられている。
【００５４】
第３側壁２４０’は、底板２１０の第３端２１３に立設された金属製（例えば、ステンレスやスチール製）の矩形状の板であって、底板２１０に対して垂直に延びている。第３側壁２４０’は、第１、第２側壁２２０’、２３０’のＸ方向の一端間を連結している。第４側壁２５０’は、底板２１０の第４端２１４に立設された金属製（例えば、ステンレスやスチール製）の矩形状の板であって、底板２１０に対して垂直に延びている。第４側壁２５０’は、第１、第２側壁２２０’、２３０’のＸ方向の他端間を連結している。
【００５５】
以下、火床カバー１００’を火床２００’に取り付ける手順について説明する。まず、火床カバー１００’を火床２００’に収容させる。すると、火床カバー１００’の底板１１０の凸部１１１以外の部分が火床２００’の底板２１０に当接する。火床カバー１００’の第１〜第４側壁１２０’〜１５０’が、火床２００’の第１〜第４側壁２２０’〜２５０’に各々当接する。火床カバー１００’のフランジ１６０が、火床２００’のフランジ２６０上に載置される。このようにして火床カバー１００’が火床２００’に支持される。第１側壁１２０’の通気孔１２１’および第１側壁２２０’の通気孔２７０’が通じる。第２側壁１３０’の通気孔１３１’および第２側壁２３０’の通気孔が通じる。
【００５６】
この火床カバー１００’内に炭や薪等の加熱燃料を入れ、当該加熱燃料を加熱させる。火床カバー１００’および火床２００’上には、図示しない網又は鉄板を載置する。この網又は鉄板上に食材を載せて当該食材を焼くことができる。
【００５７】
以上のような火床カバー１００’およびバーベキューグリルは、実施例１の火床カバー１００およびバーベキューグリルの上記第１〜第６の技術的特徴を有する。
【実施例３】
【００５８】
次に、本発明の実施例３に係る火床カバー３００について図５Ａ〜図５Ｃを参照しつつ説明する。図５Ａ〜図５Ｃに示す火床カバー３００は、火床４００（図６Ａ〜図６Ｃ参照）内に収容可能な箱であって、可撓性を有する金属箔（例えば、アルミ箔）で構成されている。火床カバー３００は、底板３１０と、側壁３２０と、フランジ３３０とを有している。以下、火床カバー３００の各構成要素について詳しく説明する。図５Ｂに示すＹ’が、火床カバー３００の側壁３２０の半径方向であり且つ特許請求の範囲の第１方向を示している。図５Ｂに示すＸ’が、火床カバー３００の側壁３２０の半径方向であり且つ特許請求の範囲の第２方向を示している。Ｘ’方向は、Ｙ’方向に直交している。
【００５９】
底板３１０は、金属箔（例えば、アルミ箔）で構成された円板である。底板３１０の外径は、火床４００の後述する底板４１０（図６Ｂ参照）の外径よりも小さい。底板３１０には、図示しない凸部が設けられている。この凸部は上方に凸の突脈である。底板３１０の凸部以外の部分が火床４００の底板４１０に当接可能である。底板３１０は、リング状の端３１１を有する。
【００６０】
側壁３２０は、底板３１０の端３１１に立設された金属箔（例えば、アルミ箔）製の円筒状の板である。側壁３２０は、その外径および内径が上方に漸次拡径するように斜め上方に延びている。側壁３２０の最も大きい外径は、火床４００の後述する側壁４２０（図６Ｂ参照）の内径よりも小さい。側壁３２０の高さ寸法は、火床４００の側壁４２０の高さ寸法よりも若干（フランジ３３０の厚み分）大きい。側壁３２０は、火床４００の側壁４２０に対して間隙Ｇ’’（図６Ａおよび図６Ｃ参照）を有して対向配置可能である。
【００６１】
側壁３２０は、Ｙ’方向の一方側の第１部３２１と、Ｙ’方向の他方側の第２部３２２と、Ｘ’方向の一方側の第３部３２３と、Ｘ’方向の他方側の第４部３２４とを有している。第１、第２、第３、第４部３２１、３２２、３２３、３２４の少なくとも一つには、通気孔が設けられている。本実施例３では、第１、第２部３２１、３２２に、当該第１、第２部３２１、３２２を貫通する通気孔３２１ａ、３２２ａが設けられている。第１、第２、第３、第４部３２１、３２２、３２３、３２４の通気孔が設けられていない部分には、図示しない複数の凸部又は複数の凹部が側壁３２０の周方向に間隔をあけて設けられている。本実施例３では、第３、第４部３２３、３２４に複数の凸部が側壁３２０の周方向に間隔をあけて設けられている。この凸部は、火床カバー３００の内側に凸であり且つ側壁３２０の傾斜方向に延びている。
【００６２】
フランジ３３０は、側壁３２０のリング状の上端に設けられ且つ外側に延びた金属箔（例えば、アルミ箔）製のリング状の板である。
【００６３】
以上のような構成の火床カバー３００は、可撓性を有する金属箔（例えば、厚さ０.０
３５〜０.０６ｍｍのアルミ箔）を図示しない金型を用いてプレス成形することによって
製造される。
【００６４】
以下、本発明の実施例３に係るバーベキューグリルについて図６Ａ〜図６Ｃを参照しつつ説明する。図６Ａ〜図６Ｃに示すバーベキューグリルは、火床カバー３００と、火床４００を備えている。以下、このバーベキューグリルについて詳しく説明する。
【００６５】
火床４００は、火床カバー３００を収容可能な金属製（例えば、ステンレスやスチール製）の箱である。火床４００は、底板４１０と、側壁４２０と、フランジ４３０とを有している。
【００６６】
底板４１０は、金属製（例えば、ステンレスやスチール製）の円板である。
【００６７】
側壁４２０は、底板４１０のリング状の端に立設された金属製（例えば、ステンレスやスチール製）円筒である。側壁３２０は、底板４１０に対して垂直に延びている。側壁４２０は、Ｙ’方向の一方側の第１部４２１と、Ｙ’方向の他方側の第２部４２２と、Ｘ’方向の一方側の第３部４２３と、Ｘ’方向の他方側の第４部４２４とを有している。第１、第２、第３、第４部４２１、４２２、４２３、４２４の少なくとも一つには、通気孔が設けられている。本実施例３では、第１、第２部４２１、４２２に、当該第１、第２部４２１、４２２を貫通する通気孔４２５が設けられている。
【００６８】
フランジ４３０は、側壁４２０のリング状の上端に設けられ且つ外側に延びた金属製（例えば、ステンレスやスチール製）のリング状の板である。
【００６９】
上述した火床４００は、図示しない脚が取り付け可能である。よって、火床４００は、脚によって中空支持された状態で使用可能である。又は、火床４００は、テーブル等の上に直接設置された状態でも使用可能である。
【００７０】
以下、火床カバー３００を火床４００に取り付ける手順について説明する。まず、火床カバー３００を火床４００に収容させる。すると、火床カバー３００の底板３１０の凸部以外の部分が火床４００の底板４１０に当接する。火床カバー３００のフランジ３３０が、火床４００のフランジ４３０上に載置される。このようにして火床カバー３００が火床４００に支持される。これと共に、火床カバー３００の側壁３２０が、火床４００の側壁４２０に間隙Ｇ’’を有して対向配置される。これにより、側壁３２０の通気孔３２１ａ、３２２ａ、間隙Ｇ’’および側壁４２０の通気孔４２５が通じる。
【００７１】
この火床カバー３００内に炭や薪等の加熱燃料を入れ、当該加熱燃料を加熱させる。火床カバー３００および火床４００上には、図示しない網又は鉄板を載置する。この網又は鉄板上に食材を載せて当該食材を焼くことができる。
【００７２】
以上のような火床カバー３００およびバーベキューグリルは、以下の技術的特徴を有する。第１に、加熱燃料の加熱により、火床４００が熱劣化するのを抑制することができる。その理由は以下の通りである。火床４００は、金属箔で構成された火床カバー３００によって加熱燃料の加熱から保護される。側壁３２０と側壁４２０との位置関係が、火床カバー３００が火床４００内に収容されたとき、側壁３２０と側壁４２０の間に間隙Ｇ’’が生じる位置関係となっている。この間隙Ｇ’’が空気断熱として機能するので、側壁４２０に対する加熱燃料の加熱の影響を低減することができる。火床カバー３００の底板３１０の凸部以外の部分が火床４００の底板４１０に当接しているので、底板４１０に対する加熱燃料の加熱の影響を低減することができる。
【００７３】
第２に、火床４００の汚れを防止することができる。なぜなら、加熱燃料が火床カバー３００内に入れられ、食材からの油等が火床カバー３００内に落下するので、煤や油等が火床４００に付着するのを防止することができるからである。
【００７４】
第３に、火床カバー３００の汎用性を向上させることができる。なぜなら、火床の通気孔が、火床カバー３００の通気孔３２１ａ、３２２ａに対応する位置に設けられていなかったとしても、当該火床内に火床カバー３００が収容されたとき、側壁３２０と前記火床の側壁の間に間隙が生じる。この間隙によって、側壁３２０の通気孔３２１ａ、３２２ａと前記火床の側壁の通気孔とが通じる。
【００７５】
第４に、火床カバー３００は処分が容易である。火床カバー３００は可撓性を有する金属箔で構成されているので、丸めて捨てることができるからである。
【００７６】
第５に、火床カバー３００は、火床４００に安定的に支持される。なぜなら、火床カバー３００のフランジ３３０が、火床４００のフランジ４３０に支持されるからである。
【００７７】
第６に、火床カバー３００の放熱効果が向上する。なぜなら、側壁３２０の第３、第４部３２３、３２４には、複数の凸部が周方向に間隔をあけて設けられているので、側壁３２０の表面積を増大させることができるからである。
【００７８】
第７に、複数の火床カバー３００を上下に重ねる（スタッキングする）ことができる。
火床カバー３００は、側壁３２０の外径および内径が上方に漸次拡径しているからである。
【００７９】
なお、上述した火床カバーおよびバーベキューグリルは、上記実施例に限定されるものではなく、特許請求の範囲の記載範囲において任意に設計変更することが可能である。以下、詳しく述べる。
【００８０】
本発明の火床カバーは、火床内に収容可能な箱であって、可撓性を有する金属箔で構成されている限り任意に設計変更することが可能である。
【００８１】
本発明の火床カバーの底板の形状は、任意に設計変更することが可能である。例えば、火床カバーの底板は、多角形状等とすることが可能である。本発明の火床カバーの側壁は、底板の端に立設されている限り任意に設計変更することが可能である。例えば、側壁は、多角形状の底板の各辺の端に立設された構成とすることが可能である。上記実施例および上述した設計変更例の各側壁は、火床カバーの外側に斜め上方に延びた形状、垂直形状又は火床カバーの内側に斜め上方に延びた形状に設計変更することが可能である。例えば、第１側壁１２０、第２側壁１３０、第３側壁１４０および第４側壁１５０の少なくとも一つが、垂直又は火床カバーの内側に斜め上方に延びた形状に設計変更することが可能である。側壁３２０が垂直又は火床カバーの内側に斜め上方に延びた形状（外径および内径が上方に漸次縮径する形状）とすることが可能である。
【００８２】
本発明の火床カバーの側壁は、その全領域がバーベキューグリルの火床の側壁の内面に接触する構成とすることができる。また、本発明の火床カバーの側壁は、当該側壁の少なくとも一部が火床の側壁に対して間隙を有して対向配置可能な構成とすることが可能である。例えば、火床２００’の第１、第２側壁１２０’、１３０’が、火床２００’の第１、第２側壁２２０’、２３０’に対して間隙を有して対向配置可能な構成とすることが可能である。上述した火床カバーの第１側壁のみが、上述した火床の第１側壁に対して間隙を有して対向配置可能な構成とすることが可能である。上述した火床カバーの第３側壁のみが、上述した火床の第３側壁に対して間隙を有して対向配置可能な構成とすることが可能である。なお、上述した火床カバーの第３側壁が上述した火床の第３側壁に対して間隙を有して対向配置可能であり、且つ上述した火床カバーの第４側壁が上述した火床の第４側壁に対して間隙を有して対向配置可能な構成とすることが可能である。
【００８３】
側壁３２０の一部が、火床４００の側壁４２０に対して間隙を有して対向配置可能な構成とすることが可能である。例えば、側壁３２０の第１、第２部３２１、３２２が側壁４２０の第１、第２部４２１、４２２に対して間隙を有して対向配置可能であり、第３、第４部３２３、３２４が側壁４２０の第３、第４部４２３、４２４に当接可能な構成とすることが可能である。側壁３２０の第３、第４部３２３、３２４が側壁４２０の第３、第４部４２３、４２４に対して間隙を有して対向配置可能であり、第１、第２部３２１、３２２が側壁４２０の第１、第２部４２１、４２２に当接可能な構成とすることが可能である。側壁３２０の第１、第２、第３、第４部３２１、３２２、３２３、３２４の何れか一つが側壁４２０の第１、第２、第３、第４部４２１、４２２、４２３、４２４の何れか一つに対して間隙を有して対向配置可能であり、第１、第２、第３、第４部３２１、３２２、３２３、３２４の残りが側壁４２０の第１、第２、第３、第４部４２１、４２２、４２３、４２４の残りに当接可能な構成とすることが可能である。側壁３２０が側壁４２０に当接可能な構成とすることが可能である。なお、上述した側壁の一部が折り曲げられ、当該側壁が段差部を有する構成とすることが可能である。
【００８４】
本発明の火床カバーの側壁の通気孔は省略可能である。また、本発明の火床カバーの通気孔は、火床カバーの側壁の任意に箇所に少なくとも一つ設けられていれば良い。本発明
の火床カバーの側壁の凸部は、省略可能である。本発明の火床カバーの側壁には、凸部に代えて複数の凹部が設けられていても良い。また、本発明の火床カバーの側壁には、複数の凹部および複数の凸部の双方が設けられていても良い。この複数の凹部および複数の凸部の少なくとも一方は、上述した第１〜第４側壁の少なくとも一つに設けられているとよい。
【００８５】
本発明の火床カバーのフランジは省略可能である。本発明の火床カバーのフランジは、上述した側壁の一部に設けられていれば良い。例えば、上述した火床カバーの第１、第２側壁のみ、第３、第４側壁のみ、側壁の第１、第２部のみ又は側壁の第３、第４部のみにフランジが設けられた構成とすることが可能である。
【００８６】
本発明の火床は、上述した各態様の火床カバーを収容し得る限り任意に設計変更することが可能である。本発明の火床の通気孔は省略可能である。また、本発明の火床の通気孔は、火床の側壁の任意に箇所に少なくとも一つ設けられていれば良い。本発明のフランジは省略可能である。本発明の火床のフランジは、上述した火床の側壁の一部に設けられていれば良い。例えば、上述した火床の第１、第２側壁のみ、第３、第４側壁のみ、側壁の第１、第２部のみ又は側壁の第３、第４部のみにフランジが設けられた構成とすることが可能である。
【００８７】
なお、上記実施例における火床カバーおよびバーベキューグリルの各構成要素を構成する素材、形状、寸法、数及び配置等はその一例を説明したものであって、同様の機能を実現し得る限り任意に設計変更することが可能である。上述した実施例及び設計変更例は、互いに矛盾しない限り、相互に組み合わせることが可能である。本発明の第１方向は任意に設定可能である。本発明の第２方向は、前記第１方向に交差している限り任意に設計変更することが可能である。例えば、上記Ｘ方向が第１方向、上記Ｙ方向が第２方向とすることが可能である。
【符号の説明】
【００８８】
１００・・・・・火床カバー
１１０・・・・底板
１１１・・・・凸部
１１２・・・・第１端
１１３・・・・第２端
１１４・・・・第３端
１１５・・・・第４端
１２０・・・・第１側壁（側壁の一部）
１３０・・・・第２側壁（側壁の一部）
１４０・・・・第３側壁（側壁の一部）
１５０・・・・第４側壁（側壁の一部）
１６０・・・・フランジ
２００・・・・・火床
２１０・・・・底板
２１１・・・・第１端
２１２・・・・第２端
２１３・・・・第３端
２１４・・・・第４端
２２０・・・・第１側壁
２３０・・・・第２側壁
２４０・・・・第３側壁（対向部）
２５０・・・・第４側壁（対向部）
２６０・・・・フランジ
１００’・・・・火床カバー
１２０’・・・第１側壁（側壁の一部）
１３０’・・・第２側壁（側壁の一部）
１４０’・・・第３側壁（側壁の一部）
１５０’・・・第４側壁（側壁の一部）
１６０’・・・フランジ
２００・・・・・火床
２２０’・・・第１側壁
２３０’・・・第２側壁
２４０’・・・第３側壁
２５０’・・・第４側壁
２６０’・・・フランジ
３００・・・・・火床カバー
３１０・・・・底板
３２０・・・・側壁
３２１・・・第１部（側壁の一部）
３２２・・・第２部（側壁の一部）
３２３・・・第３部（側壁の一部）
３２４・・・第４部（側壁の一部）
３３０・・・・フランジ
４００・・・・・火床
４１０・・・・底板
４２０・・・・側壁（第１対向部）
４２１・・・第１部
４２２・・・第２部
４２３・・・第３部
４２４・・・第４部
４３０・・・・フランジ
【図１Ａ】
0006630703.tif 000002
【図１Ｂ】
0006630703.tif 000003
【図１Ｃ】
0006630703.tif 000004
【図１Ｄ】
0006630703.tif 000005
【図１Ｅ】
0006630703.tif 000006
【図２Ａ】
0006630703.tif 000007
【図２Ｂ】
0006630703.tif 000008
【図３Ａ】
0006630703.tif 000009
【図３Ｂ】
0006630703.tif 000010
【図３Ｃ】
0006630703.tif 000011
【図３Ｄ】
0006630703.tif 000012
【図３Ｅ】
0006630703.tif 000013
【図４Ａ】
0006630703.tif 000014
【図４Ｂ】
0006630703.tif 000015
【図５Ａ】
0006630703.tif 000016
【図５Ｂ】
0006630703.tif 000017
【図５Ｃ】
0006630703.tif 000018
【図６Ａ】
0006630703.tif 000019
【図６Ｂ】
0006630703.tif 000020
【図６Ｃ】
0006630703.tif 000021